(57)【要約】  【課題】薬品やサプリメント、化粧品類の収納性や使い勝手性、保存性を向上させた冷蔵庫を得る。  【解決手段】断熱区画された貯蔵室を備えた本体と、前記貯蔵室内において冷蔵温度帯をなす少なくとも一室には容器本体２と蓋体３とからなり容易に取り外しが可能な稼動ケース１を備え、稼動ケース１内は薬品または化粧品の保存に適した略密閉空間に保たれるようにした。これにより使いたい場所に稼動ケース１毎持ち出して使用することが可能となるため利便性に優れる。また、稼動ケース１が略密閉容器であるために、持ち運び時にも容器により室内の暖かい空気が遮断されるので、収容物周囲の温度変動が少なく、結果収納されている容器への水滴の付着を防ぐことができるため、保存品質が向上する。【選択図】図１
2007120909.tif 000002
【特許請求の範囲】
【請求項１】
冷蔵庫本体は断熱区画された貯蔵室を備え、前記貯蔵室内に本体と蓋体とを有し容易に取り外しが可能な稼動ケースを備え、前記稼動ケースは前記貯蔵室の冷蔵温度帯に保たれた一画に備えられ、前記稼動ケース内は薬品やサプリメントや化粧品類の低温保管スペースとして使用するとともに略密閉空間である冷蔵庫。
【請求項２】
前記稼動ケースは持ち手を具備する請求項１に記載の冷蔵庫。
【請求項３】
前記稼動ケースは冷蔵室のドア内側に常設されている請求項１または２に記載の冷蔵庫。
【請求項４】
前記稼動ケース内には水分吸着剤を設置した請求項１から３のいずれか一項に記載の冷蔵庫。
【請求項５】
前記稼動ケース内の少なくとも一部に断熱材を設置した請求項１から４のいずれか一項に記載の冷蔵庫
【請求項６】
前記稼動取り出し可能なケースは冷蔵庫内の高さ１４０ｃｍ以上の箇所に設置したことを特徴とする請求項１から５のいずれか一項に記載の冷蔵庫。
【請求項７】
前記稼動ケースは側面の一部に凹み部を有し、冷蔵庫壁面の突起と係合して固定される請求項１から６のいずれか一項に記載の冷蔵庫。
【発明の詳細な説明】
【技術分野】
【０００１】
本発明は、冷蔵庫における使い勝手の向上と薬品・サプリメント・化粧品等の保存に関するものである。
【背景技術】
【０００２】
近年、メディアの影響や健康に対する不安感からか日本人の７０％がなんらかのサプリメントを摂取しているという調査結果もあり、健康食品産業の成長は目覚しい。また、女性の美容意識も高まる一方であり、女性が基礎化粧品に掛ける金額は１ヶ月平均３千円程度と高く、年齢層が高くなるにつれその金額は大きくなる傾向にある。さらに肌に優しいとうたわれる防腐剤無添加の基礎化粧品の生産・需要も増加している。
【０００３】
また、食生活の欧米化などの原因から糖尿病の患者数も年々増加傾向であり、患者は冷蔵保管が必須であるインスリンの日常摂取を余儀なくされている。
【０００４】
このような状況の中でも、家庭におけるサプリメント・基礎化粧品の保管場所は常温である場合が多く見受けられ、特に夏場の高温・高湿環境下では品質劣化が危惧されていた。
【０００５】
このような課題を解決するため、化粧品や薬品等の保存専用に、冷却機能付きの独立した保冷箱がある（特許文献１参照）。冷却装置を備えた箱体は、主に洗面所やドレッサーや室内の一角等に置かれ、内部に化粧品などを入れ使用されるものである。内部は適度な温湿度に保たれていることから、収納されている化粧品類の品質低下を低減することができる。
【０００６】
また、洗面台に薬品や化粧品用の冷却室を内蔵したものもある（特許文献２参照）。この場合、特許文献１のように設置スペースを増やすことがなく、さらに化粧品などを使用する場所の収納スペースを活用していることから、使い勝手がよい。
【０００７】
さらに、薬保管室を有した冷蔵庫がある（特許文献３参照）。
【０００８】
図６は、特許文献３に記載された従来の冷蔵庫を示すものである。
【０００９】
図６に示すように、冷蔵庫の貯蔵室の１つが薬品保管室１０１となり、温度・湿度が制御された、独立した貯蔵空間である。また、小児の薬品等の誤飲を防ぐため、薬品保管室１０１は施錠可能な構成をとっている。薬品類の品質を維持することができるとともに、ほとんどの家庭に一台はある冷蔵庫の一部に専用室を設ける為、余分な設置スペースが必要なく、また初期コストやランニングコストの増大が少ない。
【００１０】
以上のような手段で、薬品、サプリメント、化粧品類を適切な温湿度環境で保存し、保存中の品質劣化を低減していた。
【特許文献１】特開２００３−１３９４６４号公報
【特許文献２】特開平８−６６２５５号公報
【特許文献３】特開２０００−１０５０４３号公報
【発明の開示】
【発明が解決しようとする課題】
【００１１】
しかしながら特許文献１の保冷箱では、一般の集合住宅などでは新たな冷却機能付き保冷箱の設置スペースに困る場合が多く、また新たに保冷箱を購入するコストやランニングコストの高さなどから一般家庭に受け入れられにくいという問題があった。また、特許文献２の冷却機能付き洗面台についても、通常の洗面台よりも大幅にコストが増加することや、また常時冷却運転するためのランニングコストも大きいことが課題である。また、薬品やサプリメントなどを洗面台や室内置き用の冷蔵庫に入れておいた場合、保存品質は向上するものの、錠剤やカプセル、粉末状の薬品を飲用する際、飲料水が身近にないため使い勝手が悪いという問題があった。また、それらを持ち出す際には容器周囲に水滴が付着し、吸湿の為劣化する可能性があった。また、通常洗面台は浴室に隣接していることが多く、その場合洗面台周囲は非常に高湿環境となり、洗面台に設置された冷蔵室のドアを開ける際に内部に水滴が付着しやすくなる。結果、冷蔵室内部が高湿環境となり、湿度に弱い薬品やサプリメント、化粧品類の保存性が低下するという問題があった。
【００１２】
また、特許文献３の薬品保管室を設けた冷蔵庫では、家庭用の冷蔵庫内に薬品専用の保存室を設けたことにより、設置場所やコスト面の課題を解決することができる。しかし貯蔵室のひとつを丸ごと薬品専用としたことにより、収納すべき薬品が少量、あるいは無くなった場合、薬品保存室がデッドスペース化する恐れがある。仮に薬品保管室の空きスペースに食品を収納したとしても、食品に付着する雑菌や水分などで薬品保管室内が汚染されうるため衛生的でなく、推奨できない。結果、貯蔵スペースを有効に活用出来ないという課題があった。
【００１３】
また、薬品やサプリメント、化粧品類を室内に持ち出して使用する際、収納物と室温との間に温度差が生じることから、容器に水蒸気が凝縮した水分が付着し、吸湿しやすい薬品やサプリメントなどの品質低下を引き起こすという問題があった。
【００１４】
本発明は、上記従来の課題を解決するもので、薬品やサプリメント、化粧品の保管性の向上と使い勝手の向上を目的とする。
【課題を解決するための手段】
【００１５】
上記従来の課題を解決するために、本発明の冷蔵庫は、冷蔵庫本体は断熱区画された貯蔵室を備え、前記貯蔵室内に本体と蓋体とを有し容易に取り外しが可能な稼動ケースを備え、前記稼動ケースは前記貯蔵室の冷蔵温度帯に保たれた一画に備えられ、前記稼動ケース内は薬品やサプリメントや化粧品類の低温保管スペースとして使用するとともに略密閉空間であるものである。
【００１６】
このように、薬品やサプリメントや化粧品類の低温保管スペースが各家庭に概ね一台は所有されている冷蔵庫内の冷蔵温度帯である室内の一角に設置したことから、コストアップや設置スペース不足の問題を解決することができる。また、使いたい場所に稼動ケース毎持ち出して使用することが可能となるため利便性に優れるとともに、稼動ケースが略密閉容器であるために、持ち運び時にも容器により室内の暖かい空気が遮断されるので、収容物周囲の温度変動が少ない。そのため、収納されている容器に対して、水蒸気の凝縮により生じる水滴の付着を防ぐことができる。
【発明の効果】
【００１７】
本発明の冷蔵庫では、薬品やサプリメント、化粧品類を収納する稼動ケースを設けたことにより、それらを収納した場合の品質低下を低減することができるとともに、使い勝手や経済性にも優れている。
【００１８】
また、冷蔵庫外へ持ち出して使用する際にも内部収容物への水分の付着を低減することができるので、薬品やサプリメント、化粧品の吸湿による劣化を通常の冷蔵保存時よりも低減することができる。
【００１９】
また、貯蔵室の一部に区分収納スペースを設けたことから、収納物が少量の場合でも貯蔵室が丸ごとデッドスペースとなることがなく、効率的である。
【発明を実施するための最良の形態】
【００２０】
請求項１に記載の発明は、冷蔵庫本体は断熱区画された貯蔵室を備え、前記貯蔵室内に本体と蓋体とを有し容易に取り外しが可能な稼動ケースを備え、前記稼動ケースは前記貯蔵室の冷蔵温度帯に保たれた一画に備えられ、前記稼動ケース内は薬品やサプリメントや化粧品類の低温保管スペースとして使用するとともに略密閉空間であるものである。
【００２１】
冷蔵温度帯は平均温度が０度以上かつ１５度以下の温度帯を指すものとし、野菜や飲料、加工食品など一般的な食品の冷蔵に適した温度帯であるとともに、薬品やサプリメントや化粧品類の一般家庭での保存にも適した温度である。これにより、本発明の稼動ケースに薬品やサプリメントや化粧品類を収納した場合、品質低下を常温放置時よりも低減することができる。また、化粧水などが低温に保たれることにより、肌につけた際にひんやりとして使用感がよいだけでなく、低温が毛穴をひきしめる作用を有するため、美しい肌づくりをサポートすることができる。
【００２２】
また、蓋付きの略密閉空間であるため、一般に食品を保存するイメージの強い冷蔵庫に対して、食品以外のものを収納する場合にも区画された専用の空間であることを認識させるので、抵抗なく使用させることができる。また、このような専用スペースによる区分収納により、薬品類を食品と混在させないので食品の汚れやにおいなどの付着を低減することができ、衛生的である。
【００２３】
さらに、稼動ケースを取り外しが可能な仕様としたことにより、使用者は生活シーンにあわせて、冷蔵庫外に持ち出して使いたい場所で使うことが可能となる。また稼動ケースごと持ち出すため、稼動ケースの容器により外気が遮断され、収納物周囲の温度変動による湿気の付着を収納物単独で持ち出した場合に比べ低減することができる。よって、錠剤などを収納しておいた場合、吸湿による劣化を低減することができる。
【００２４】
このように請求項１に記載の冷蔵庫は、薬品やサプリメント、化粧品類の冷蔵庫での保存を促し保存性を向上させるとともに、それらの使い勝手性を高めることができる。
【００２５】
請求項２に記載の発明は、請求項１に記載の発明において、前記取り外し可能な稼動ケースは持ち手を具備するものである。稼動ケースに持ち手を設けたことにより持ち運び時の使い勝手を向上させるだけでなく、使用者に稼動ケースの取り外しと冷蔵庫外への持ち運びが可能なことを視覚的に認識させるので、使用者は稼動ケースを有効に活用することができる。
【００２６】
なお、持ち手の形状はコの字型フックなどが扱いやすく適しているが、特に指定するものではない。
【００２７】
請求項３に記載の発明は、請求項１または２に記載の発明において、稼動ケースは冷蔵室のドア裏側に常設されたものである。冷蔵庫内において特にドア裏側は使い勝手が良いが、ドアポケットの形状が調味料などの収納物に適合しにくいことや、間隔が狭いなどの理由から、収納力が低く、空間を有効活用できないことがお客様の不満にあがっている。よって、稼動ケースをこのスペースに設置することにより収納力の低さをカバーし、空間を有効に活用することができる。また、稼動ケースを冷蔵室の棚上に設置した場合に比較して食品等に埋もれたり、汚染されたりする可能性が低いので、非常に使い勝手のよいものとなる。
【００２８】
請求項４に記載の発明は、請求項１から３のいずれか一項に記載の発明において、前記ケース内に水分吸着剤を設置したものである。一般に、錠剤やカプセル、粉末等は吸湿しやすいものもあり、薬品によっては吸湿により有害物質を生成するようなものもあることから、保存には適度な湿度を維持しておくことが必要である。また、薬品やサプリメント、化粧品類を室内に持ち出して使用する際、温度差が生じることから容器に水蒸気が付着し、特に長時間放置されることにより水分付着量が増大する。このような状態の薬品やサプリメントや化粧品類を再び冷蔵庫へ戻すことにより、内部の湿度が上昇し、特に錠剤の薬品・サプリメントが吸湿し、品質劣化を引き起こす。
【００２９】
このような状況を回避するため、本請求項の発明では稼動ケース内に吸湿特性を有した水分吸着剤を設置した。これにより、余分な水分が吸収され、稼動ケース内は低湿度に保たれる。その結果、保存性の向上と長時間持出し時に付着した水分の影響を低減することができる。
【００３０】
なお、水分吸着剤については、化学的吸着能を有する酸化カルシウムや酸化マグネシウム、物理的吸着能を有する活性炭やゼオライトやシリカゲル、活性アルミナなどいずれの材料でもよく、特に指定するものではない。なお、物理的吸着能を有した水分吸着剤は、同時に臭い物質の吸着効果を有していることから、稼動ケース内の薬品臭や食品臭などを除去する効果が得られる。
【００３１】
また、水分吸着剤の形状は、平板形状やシート形状のものが省スペース性に優れるため本稼動ケースに適しているが、特に指定するものではない。
【００３２】
また、これらの吸着剤には吸着限界があることから、定期的な取替えや乾燥を促せるよう、使用期限を明記したり、水分吸着剤の色の変化で知らせたりしてもよい。
【００３３】
請求項５に記載の発明は、請求項１から４のいずれか一項に記載の発明において、前記ケース内の少なくとも一部に断熱材を設置したものである。これにより、稼動ケースを冷蔵庫外に持ち出し長時間放置された場合にも、外部からの温度の影響を受けにくく、収納されている薬品やサプリメントや化粧品類の温度上昇を防ぐことができる。その結果、収納物の品質低下を防ぐことが可能となり、使用者も安心して冷蔵庫外に持ち出し使用することができる。
【００３４】
請求項６に記載の発明は、請求項１から５のいずれか一項に記載の発明において、前記取り出し可能なケースは冷蔵庫内の高さ１４０ｃｍ以上の箇所に設置したものである。通常、薬品やサプリメントなどは小児によるいたずらや誤飲を防ぐため、小児の手の届かない場所に保存する必要がある。平成１７年度調査によると小学校低学年の男児・女児の平均身長は１３０ｃｍ弱であることから、薬品やサプリメントの稼動ケースを高さ１４０ｃｍ以上の位置に設置しておくことにより、いたずらざかりの小児から遠ざけることが可能となる。また、成人女性の平均身長は約１５８ｃｍであるため、１４０ｃｍから１７０ｃｍ程度の高さに設置することで、目線の高さ内に保たれるので非常に使い勝手が良好となる。
【００３５】
請求項７に記載の発明は、請求項１から６のいずれか一項に記載の発明において、稼動ケースは冷蔵室ドア内壁面の突起部に引っ掛けることにより壁面に固定してなるものである。これにより、稼動ケースを通常時は冷蔵室ドア内壁に固定しておき、必要に応じて簡単に取り外し、庫外に持ち出して使用することができる。また、その場合には冷蔵室ドア内壁面の突起部に稼動ケースの凹み部を引っ掛けて固定する方式であるので固定時の安定感も高く、使用者の目線以上の高さであっても取り外しがおこないやすく、また取り外し方法も一般的であるためわかりやすい。
【００３６】
以下、本発明の実施の形態について、図面を参照しながら説明する。なお、この実施の形態によってこの発明が限定されるものではない。
【００３７】
（実施の形態１）
図１は、本発明の実施の形態１における持ち運び可能な稼動ケースの斜視図である。
【００３８】
図１において、稼動ケース１はポリスチレン樹脂からなるもので、容器本体２と、容器本体２の上部を被覆する蓋３と、容器本体２の両側面に可動式の持ち手４とを備えている。また、容器本体２背面には冷蔵庫内壁７に設置するための凹み部５が設けられている。
【００３９】
図２は、本発明の実施の形態１における持ち運び可能な稼動ケースを備えた冷蔵庫の縦断面図を示すものである。
【００４０】
図２において、冷蔵庫本体１１は複数の断熱区画に区分されており上部を回転扉式、下部を引出し式とする構成をとってある。上から冷蔵室１２、並べて設けた引出し式の切り替え室１３および製氷室１４と、引出し式の野菜室１５と引出し式の冷凍室１６となっている。各断熱区画にはそれぞれ断熱扉がガスケット１７を介して設けられている。上から冷蔵室回転扉１８、切り替え室引出し扉１９、製氷室引出し扉２０、野菜室引出し扉２１、冷凍室引出し扉２２である。
【００４１】
冷蔵室回転扉１８には複数庫のドアポケット２３が収納スペースとして設けられており、最上部には取り外しが可能な稼動ケース１が設置されている。また、稼動ケース１内部は冷蔵室１２内と同等の温湿度状態に保たれている。
【００４２】
冷蔵室１２は冷蔵保存のために凍らない温度を下限に通常１〜５℃で設定されているが、収納物によって、使用者が自由に上記のような温度設定を切り替えることを可能としている場合もある。また、ワインや根野菜等の保鮮のために、例えば１０℃前後の若干高めの温度設定とする場合もある。また、野菜室１５は冷蔵室１２と同等もしくは若干高い温度設定の２℃〜７℃とすることが多い。低温にするほど葉野菜の鮮度を長期間維持することが可能である。
【００４３】
切り替え室１３はユーザーの設定により温度設定を変更可能であり、冷凍温度帯から冷蔵温度帯まで所定の温度設定にすることができ、また、製氷室１４は独立の氷保存室であり、図示しない自動製氷装置を備えて、氷を自動的に作製、貯留するものである。氷を保存するために冷凍温度帯であるが、氷の保存が目的であるために冷凍温度帯よりも比較的高い冷凍温度設定も可能である。
【００４４】
本体１１は天面後方部を窪ませた機械室２４を設けてある。また機械室２４の下方背壁面に第二の機械室２５を設けた。
【００４５】
冷凍サイクルは機械室２４に配設した圧縮機２６と図示しない凝縮器と減圧器であるキャピラリと蒸発器２７とを環状に接続して構成されている。蒸発器２７は冷却ファン２８で強制対流熱交換させている。また、冷凍サイクルを動作させる制御基盤２９は第二の機械室２５に取り外し可能なカバーで密閉して配置されている。さらに機械室２４も背面カバー３０で取り外し可能に略密閉されている。
【００４６】
図３は、本発明の実施の形態１における冷蔵室ドア内壁に稼動ケースを設置した状態の平面断面図である。
【００４７】
図３において、冷蔵室ドア内壁７面は数個の突起部６を有しており、稼動ケース１の背面の凹み部５と適合するよう作られており、これらを係合させることにより冷蔵庫ドア内壁７面に稼動ケース１を固定することが可能となる。取り外す際は、稼動ケース１を少し持ち上げ、手前に引くことにより容易に外れ、持出しが可能となる仕組みである。
【００４８】
以上のように構成された冷蔵庫について、以下その動作、作用を説明する。
【００４９】
まず、冷凍サイクルの動作について説明する。庫内の設定された温度に応じて制御基板２９からの信号により冷凍サイクルが動作して冷却運転が行われる。圧縮機２５の動作により吐出された高温高圧の冷媒は、凝縮器にて放熱して凝縮液化し、キャピラリで減圧されて低温低圧の液冷媒となり蒸発器２７に至る。
【００５０】
冷却ファン２８の動作により、庫内の空気と熱交換されて蒸発器２７内の冷媒は蒸発気化する。低温の冷気を図示しないダンパなどで分配することで各室の冷却を行う。また複数の蒸発器２７や減圧器を用いる場合は流路制御手段により必要な蒸発器２７へ冷媒が供給される。蒸発器２７を出た冷媒は圧縮機２５へと吸い込まれる。このようにサイクル運転を繰り返すことで庫内の冷却が行われる。
【００５１】
次に、稼動ケース１について説明する。稼動ケース１は冷蔵室ドア内壁７の高さ１５０ｃｍの箇所に設置されており、内部は薬品やサプリメントや化粧品類など、食品以外で冷蔵保存したいものを区分けして入れるのに適したスペースとなっている。また、稼動ケース１内部は冷蔵室１２とほぼ同程度の温湿度に保たれている。
【００５２】
さらに、冷蔵室ドア内壁７の突起部６から稼動ケース１を引き離すようにして手前に持ち上げることにより、稼動ケース１は容易に外れ、冷蔵庫外に持ち出すことができる。また、稼動ケース１を持ち出して使用する際、稼動ケース１の上部に設置された持ち手４を持ちながら、楽に運搬することができる。
【００５３】
以上のように、本実施の形態では、冷蔵室１２内に設置した稼動ケース１内に薬品やサプリメントや化粧品類を収納しておくものとした。冷蔵温度帯は平均温度が０度以上かつ１５度以下の温度帯を指すものとし、野菜や飲料、加工食品など一般的な食品の冷蔵に適した温度帯であるとともに、薬品やサプリメントや化粧品類の一般家庭での保存にも適した温度である。よって、稼動ケース１内に薬品やサプリメント、化粧品類の品質低下を常温放置時よりも低減することができる。また化粧水などは肌につけた際にひんやりとして使用感がよいだけでなく、低温が毛穴をひきしめる作用を有するため美しい肌づくりをサポートすることができるとともに、冷却ジェルなども冷やしておくことにより一層の冷却効果が得られるので使用感が良好になる。
【００５４】
また、稼動ケース１は容器本体２と蓋３からなる略密閉空間である。一般に食品を保存するイメージの強い冷蔵庫に食品以外のものを収納する場合にも、区画された専用の空間を設けることにより、使用者に抵抗なく使用させることができる。また、このような専用スペースにて区画収納することにより、薬品類を食品から遠ざけ、食品の汚れやにおいの付着を防ぐことができ、衛生的である。
【００５５】
さらに、本実施の形態では稼動ケース１を冷蔵室ドア内壁７に設置するものとした。冷蔵庫内において冷蔵室ドア内壁７のドアポケット２３は奥行きが浅いため手が届きやすく、またこまごまとしたものも区分け収納しやすいため使い勝手が良いスペースである。しかしドアポケット２３の形状が調味料などの収納物に適合しにくいことや、各ドアポケット２３の上下間隔が狭いなどの理由から収納力が低いことがお客様の不満にあがっている。よって、取り外し可能な稼動ケース１をこのスペースに設置することにより収納力の低さをカバーし、スペースを有効に活用することができる。また、冷蔵室１２棚に設置した場合に比較して食品等に埋もれて行方不明になったり、汚染されたりする可能性が低いため、非常に使い勝手のよいものとなる。
【００５６】
また、稼動ケース１を冷蔵庫内の高さ１５０ｃｍの箇所に設置したことにより、小児から薬品類を遠ざけて保存することが可能となる。通常、薬品やサプリメントなどは小児によるいたずらや誤飲を防ぐため、小児の手の届かない場所に保存する必要がある。平成１７年度調査によると小学校低学年の男児・女児の平均身長は１３０ｃｍ弱であることから、薬品やサプリメントの稼動ケース１を高さ１４０ｃｍ以上の位置に設置しておくことにより、いたずらざかりの小児から遠ざけることが可能となる。また、成人女性の平均身長は約１５８ｃｍであるため、１４０ｃｍから１７０ｃｍ程度の高さに設置することで、目線の高さ内に保たれるので非常に使い勝手が良好となる。なお、稼動ケース１の設置についてはメイン使用者の身長にあわせ、自由に設置位置を変更することが可能である。
【００５７】
稼動ケース１は冷蔵室ドア内壁７面の突起部６に引っ掛けることにより壁面に固定してなるものである。これにより、稼動ケース１を通常時は冷蔵室ドア内壁に固定しておき、必要に応じて簡単に取り外し、庫外に持ち出して使用することができる。また、その場合には冷蔵室ドア内壁７面の突起部６に稼動ケース１の凹み部５を引っ掛けて固定する方式であるので固定時の安定感も高く、使用者の目線以上の高さであっても取り外しがおこないやすく、また取り外し方法も一般的であるためわかりやすい。
【００５８】
また稼動ケース１を取り外しが可能な仕様としたことにより、使用者は生活シーンにあわせて、冷蔵庫外に持ち出して使いたい場所で使うことが可能となる。たとえば、化粧品類を鏡台に持ち出して使用したり、複数の薬品やサプリメントを同時に摂取したいとき、食卓などに稼動ケース１ごと持出して一度に服用したりすることもでき、使い勝手がよい。
【００５９】
稼動ケース１に持ち手４を設けたことにより、持ち運び時の使い勝手を向上させるだけでなく、使用者に稼動ケース１の取り外しと冷蔵庫外への持ち運びが可能なことを視覚的に認識させるので、使用者は稼動ケース１を有効に活用することができる。なお、持ち手４の形状としてはコの字形状などが扱いやすく適しているが、特に指定するものではない。
【００６０】
さらに、稼動ケース１の冷蔵庫外への持ち出しの際には、稼動ケース１と内部の空気により外部の暖かい空気の収納物への伝達を低減することができ、収納物周囲の温度変動は収納物を単独で持ち出した場合に比べて低減する。通常、冷却されたものを室温に持ち出した場合、周囲の暖かい空気中に含まれる水蒸気が急激に冷えることにより凝縮し、容器周囲に水滴として付着する。その結果、収納物は湿気を帯びるため内部品質低下の一因となりうる。しかし、稼動ケース１ごと持ち運びを行うことにより、収納物と室内の空気との直接接触を低減するので水滴の付着を防ぎ、錠剤などの吸湿による品質劣化を低減することができる。なお、断熱効果は稼動ケース１の壁厚に比例して増大するため、特に年間平均気温の高い地域などでは壁厚を増大して断熱効果を高める仕様としてもよい。
【００６１】
なお、本実施の形態では稼動ケース１材料をポリスチレン樹脂としたが、ドアポケット２３として使用可能なレベルの強度と耐久性を有していれば如何なる材料でもよいものとし、抗菌加工を施した材料なども衛生的で好ましい。また、稼動ケースの本体と蓋と持ち手とがそれぞれ同一の材料でも異なる材料でもよいものとする。
【００６２】
（実施の形態２）
図４は、本発明の実施の形態２における移動ケースの縦断面図を示すものである。
【００６３】
図４において、稼動ケース１の内側面にはシート状の酸化カルシウムが主成分である水分吸着剤８と、水分吸着剤８を設置するポケット９があり、内部は常に低湿度状態が維持されている。
【００６４】
一般に、錠剤等は吸湿しやすいものもあり、薬品によっては吸湿により有害物質を生成するようなものもあることから、保存には適度な湿度を維持しておくことが必要である。また、薬品やサプリメント、化粧品類を室内に持ち出して使用する際、温度差が生じることから容器に水蒸気が付着し、特に長時間放置されることにより水分付着量が増大する。このような状態の薬品やサプリメントや化粧品類を再び冷蔵庫へ戻すことにより、内部の湿度が上昇し、特に錠剤の薬品・サプリメントが吸湿し、品質劣化を引き起こす。
【００６５】
このような状況を回避するため、本実施の形態では稼動ケース内に吸湿特性を有した水分吸着剤８を設置した。これにより、余分な水分が吸収され、稼動ケース１内は低湿度に保たれる。その結果、保存性の向上と長時間持出し時に付着した水分の影響を低減することができる。
【００６６】
なお、水分吸着剤８については、化学的吸着能を有する酸化カルシウムや酸化マグネシウム、物理的吸着能を有する活性炭やゼオライトやシリカゲル、活性アルミナなどいずれの材料でもよく、特に指定するものではない。なお、物理的吸着能を有した水分吸着剤８は、同時に臭い物質の吸着効果を有していることから、稼動ケース１内の薬品臭や食品臭などを除去する効果が得られる。
【００６７】
また、水分吸着剤８の形状は、平板形状やシート形状のものが省スペース性に優れるため本稼動ケース１に適しているが、特に指定するものではない。
【００６８】
また、これらの水分吸着剤８には吸着限界があることから、定期的な取替えや乾燥を促せるよう、使用期限を明記したり、水分吸着剤８の色の変化で知らせたりしてもよい。
【００６９】
（実施の形態３）
図５は、本発明の実施の形態３における移動ケースの縦断面図を示すものである。
【００７０】
図５において、稼動ケース１の底面にはシート状の発泡スチロール樹脂からなる断熱材１０が設置されている。これにより、稼動ケース１ごと冷蔵庫外に持ち出して長時間放置された場合にも、外部からの温度の影響を受けにくく、収納されている薬品やサプリメントや化粧品類の温度上昇を防ぐことができる。その結果、収納物の品質低下を防ぐことが可能となり、使用者も安心して冷蔵庫外に持ち出して使用することができる。
【００７１】
なお、断熱材１０には発泡ウレタンボードや発泡スチロールやコルク板、シリカアエロゲルなどの多孔体や、内部を減圧状態にした真空断熱材や真空断熱容器などいずれの材料でも良く、特に指定するものではない。一般に発泡スチロール樹脂が安価で汎用性が高い。
【００７２】
また、断熱材１０の設置場所は底面に限定せず、側面や天面へ設置し断熱材１０の被覆面積を増大しても構わないものとし、その場合一層の断熱効果を得ることが出来る。
【産業上の利用可能性】
【００７３】
以上の様に、本発明にかかる冷蔵庫は、冷蔵庫内に持ち運び可能な薬品やサプリメントや化粧品などを収納するための区画された容器を備えたことにより、冷蔵庫の使い勝手を向上させたものである。よって、ショーケースやクーラーボックス、保温保冷庫、保温器などの保冷機器においても適用でき、使い勝手の向上に利用することができる。また、薬品やサプリメントや化粧品以外のものの収納性・使い勝手の向上にも理用することができる。
【図面の簡単な説明】
【００７４】
【図１】本発明の実施の形態１における稼動ケースの斜視図
【図２】本発明の実施の形態１における冷蔵庫の縦断面図
【図３】本発明の実施の形態１における冷蔵庫に設置した稼動ケースの平面断面図
【図４】本発明の実施の形態２における稼動ケースの縦断面図
【図５】本発明の実施の形態３における稼動ケースの縦断面図
【図６】従来の冷蔵庫の縦断面図
【符号の説明】
【００７５】
１    稼動ケース
２    容器本体
３    蓋
４    持ち手
５    凹み部
６    突起部
７    冷蔵室ドア内壁
８    水分吸着剤
９    ポケット
１０  断熱材
１１  本体
１２  冷蔵室
【図１】
2007120909.tif 000003
【図２】
2007120909.tif 000004
【図３】
2007120909.tif 000005
【図４】
2007120909.tif 000006
【図５】
2007120909.tif 000007
【図６】
2007120909.tif 000008